【手続補正書】
【提出日】平成27年4月7日(2015.4.7)
【手続補正１】
【補正対象書類名】特許請求の範囲
【補正対象項目名】全文
【補正方法】変更
【補正の内容】
【特許請求の範囲】
【請求項１】
補綴移植片（１２，１４，１１２，１１４，２１０，３１０，４１０，５１０，６１０，７１０，８１０，９１０）において、
第１の端（３１３，４１３，５１３，６１３，７１３）と、
第２の端（３１４，４１４，５１４，６１４，７１４）と、
関節面（２２，１３０，２２２，２２８，３１１，４１１，５１１，６１１，７１１，９６６）と、
湾曲部を備える骨接触面（２４，１２４，２１８，２２４，３１２，４１２，５１２，６１２，７１２，９４５）と、
前記骨接触面から延在し、第１の湾曲面を有する第１の要素（２６，１２６，２２０，３２０，４２０，５２０，６２０，７２０）と、
前記骨接触面から延在し、第２の湾曲面を有する第２の要素（２８，１２８，２２６，３３０，４３０，５３０，６３０，７３０）と、
を備えており、
前記第１および第２の湾曲面は、第１の旋回点（４６，１６０，２３４，３２２，４２２，５２２，６２２，７２２，８２２）を中心として湾曲していることを特徴とする、補綴移植片（１２，１４，１１２，１１４，２１０，３１０，４１０，５１０，６１０，７１０，８１０，９１０）。
【請求項２】
前記骨接触面（２４，７１２）から延在している、第３の湾曲面を有する第３の要素（３０，７４０）をさらに備えており、
前記第３の湾曲面は、前記第１の旋回点（４６，７２２）を中心として湾曲していることを特徴とする、請求項１に記載の補綴移植片（１２，１４，１１２，１１４，２１０，３１０，４１０，５１０，６１０，７１０，８１０，９１０）。
【請求項３】
前記第１および第２の湾曲面は、前記第１の端の方を向いており、前記旋回点（４６，１６０，２３４，３２２，４２２，５２２，６２２，７２２，８２２）は、前記第１の端（３１３，６１３，７１３）に隣接していることを特徴とする、請求項１に記載の補綴移植片（１２，１４，１１２，１１４，２１０，３１０，４１０，５１０，６１０，７１０，８１０，９１０）。
【請求項４】
前記骨接触面（２４，７１２）から延在する第３の要素（３０，７４０）をさらに備えており、前記第３の要素（３０，７４０）は、前記第２の端に隣接して配置されていることを特徴とする、請求項３に記載の補綴移植片（１２，１４，１１２，１１４，２１０，３１０，４１０，５１０，６１０，７１０，８１０，９１０）。
【請求項５】
前記第３の要素（３０，７４０）は、少なくとも部分的に円弧状になっていることを特徴とする、請求項４に記載の補綴移植片（１２，１４，１１２，１１４，２１０，３１０，４１０，５１０，６１０，７１０，８１０，９１０）。
【請求項６】
前記第１の要素（２６，１２６，２２０，３２０，４２０，５２０，６２０，７２０）は、第３の湾曲面をさらに備えており、前記第２の要素（２８，１２８，２２６，３３０，４３０，５３０，６３０，７３０）は、第４の湾曲面をさらに備えており、前記第３および第４の湾曲面は、前記第１の旋回点（４６，１６０，２３４，３２２，４２２，５２２，６２２，７２２，８２２）を中心として湾曲していることを特徴とする、請求項１に記載の補綴移植片（１２，１４，１１２，１１４，２１０，３１０，４１０，５１０，６１０，７１０，８１０，９１０）。
【請求項７】
前記骨接触面（２４，１２４，２１８，２２４，３１２）は、第１の面を画定する平面部分（１３１，２２３，７４６，９６６）を備えており、前記第１の旋回点は、前記第１の平面に沿って配置されていることを特徴とする、請求項１に記載の補綴移植片（１２，１４，１１２，１１４，２１０，３１０，４１０，５１０，６１０，７１０，８１０，９１０）。
【請求項８】
前記第１の旋回点は、前記第１の端から離間していることを特徴とする、請求項７に記載の補綴移植片（１２，１４，１１２，１１４，２１０，３１０，４１０，５１０，６１０，７１０，８１０，９１０）。
【請求項９】
前記骨接触面（２４，１２４，２１８，２２４，３１２）は、第１の平面を画定する平面部分（１３１，２２３，７４６，９６６）を備えており、前記第１の旋回点は、前記第１の平面から離れて配置されていることを特徴とする、請求項１に記載の補綴移植片（１２，１４，１１２，１１４，２１０，３１０，４１０，５１０，６１０，７１０，８１０，９１０）。
【請求項１０】
前記第１の旋回点は、前記第１の端から離間していることを特徴とする、請求項９に記載の補綴移植片（１２，１４，１１２，１１４，２１０，３１０，４１０，５１０，６１０，７１０，８１０，９１０）。
【請求項１１】
前記移植片は、大腿骨コンポーネントであることを特徴とする、請求項１に記載の補綴移植片（１２，１４，１１２，１１４，２１０，３１０，４１０，５１０，６１０，７１０，８１０，９１０）。
【請求項１２】
前記移植片は、脛骨コンポーネントであることを特徴とする、請求項１に記載の補綴移植片（１２，１４，１１２，１１４，２１０，３１０，４１０，５１０，６１０，７１０，８１０，９１０）。
【請求項１３】
前記移植片は、膝蓋−大腿骨コンポーネントであることを特徴とする、請求項１に記載の補綴移植片（１２，１４，１１２，１１４，２１０，３１０，４１０，５１０，６１０，７１０，８１０，９１０）。
【手続補正２】
【補正対象書類名】明細書
【補正対象項目名】００３９
【補正方法】変更
【補正の内容】
【００３９】
以下、図２３〜図２７を参照して、脛骨移植片１１２，１１４の共通する特徴部のいくつかの一般的な設計を移植片１１２の検討に基づき説明する。いくつかの実施形態では、これらの共通特徴部の構成は、実質的に同様であるが、他の実施形態では異なっていてもよいことに留意されたい。さらに、脛骨の種々の解剖学的特徴部に対する特定の移植片の協働作用を確実なものとするために、脛骨移植片１１２，１１４の他の態様が、大きく変更されてもよい。内側脛骨移植片１１２を例として説明すると、基部プレート１１６は、第１および第２のペグ１２６，１２８を備える骨対向面１２４と、（図２６、図２７に最もよく示されている）ドーム状底面１３０と、ドーム状面１３０を囲むように延在する平面逃げ１３１とを有することが示されている。図２２を再び参照すると、脛骨の近位部分は、好ましくは、ペグ１２６，１２８、ドーム状面１３０、および逃げ１３１を受け入れるように調製されていることに留意されたい。この点に関して、脛骨は、好ましくは、孔１３２，１４６，１３４，１４８、ならびに湾曲輪郭１３６，１５０をそれぞれ備えるように調製されている。脛骨移植片１１２，１１４は、いずれもドーム状の底面を有するものとして示されているが、これらの骨対向面は、それぞれ、単純に平坦であってもよいし、または別の形態、例えば、凹面であってもよいことを理解されたい。
【手続補正３】
【補正対象書類名】明細書
【補正対象項目名】００６９
【補正方法】変更
【補正の内容】
【００６９】
骨７０１への移植片７１０の最終的な位置付けを説明するために、多数の断面が示されている。図５１を参照すると、第１の固定特徴部７３０を通る断面図が示されている。「細部Ａ」の図では、干渉領域７５０、クリアランス領域７５１、および接触領域７５２が示されている。ここでは、クリアランス領域７５１は、この側面図に示されているように、後面７３４の中心に位置している。さらに、クリアランス領域７５１は、後面７３４の略５０％を占めている。代替的実施形態では、クリアランス領域は、後面の２５％から７５％の範囲を占めているとよい。いずれの場合も、クリアランス領域７５１は、好ましくは、矢状断面に示されているように、接触領域によって取り囲まれている。干渉領域７５０は、前面７３３の実質的に中心に位置しており、図５１に示されているように、接触領域によって取り囲まれている。付随して生じた力Ｌ１によって、移植片―骨界面に付勢された圧入がもたらされることになる。
【手続補正４】
【補正対象書類名】明細書
【補正対象項目名】００７９
【補正方法】変更
【補正の内容】
【００７９】
図６４は、移植片と骨との間の幾何学的関係のバランスをさらに改良する図６０〜図６３に示されている脛骨移植片の断面図である。要素１０２０は、要素中心軸１０３８および内側１０１５の基準点１０４０aを有している。要素１０２０は、幅「ｄ」を有しており、軸１０３８から基準点１０４０aまでの距離は、「ａ」である。調製された骨１００１は、ペグ１０２０を受け入れるために調製される空洞１０５０を有している。空洞１０５０は、空洞中心軸１０３７を有している。骨１００１は、移植片１０１０が完全に着座したときに点１０４０ａと接触する基準点１０４０ｂを有している。空洞１０５０は、幅「ｄ−ｘ」を有しており、軸１０３７から点１０４０ｂまでの距離は、「ａ−ｙ」である。移植中、ペグ１０２０が空洞１０５０内に圧入される。点１０４０ａが点１０４０ｂに着座するとき、「ａ」と「ａ−ｙ」との間の差および／または「ｄ」と「ｄ−ｘ」との間の差によって、干渉が生じ、これによって、中心軸１０３８が軸１０３７から位置ずれするように移植片を付勢することになる。この幾何学的関係によって、図６３において前述したそれぞれの干渉負荷および付随する力が生じることになる。
【手続補正５】
【補正対象書類名】図面
【補正対象項目名】図３０
【補正方法】変更
【補正の内容】
【図３０】
2014523297.tif 000001
【手続補正６】
【補正対象書類名】図面
【補正対象項目名】図３１
【補正方法】変更
【補正の内容】
【図３１】
2014523297.tif 000002
【手続補正７】
【補正対象書類名】図面
【補正対象項目名】図４０
【補正方法】変更
【補正の内容】
【図４０】
2014523297.tif 000003
【手続補正８】
【補正対象書類名】図面
【補正対象項目名】図４６
【補正方法】変更
【補正の内容】
【図４６】
2014523297.tif 000004
【手続補正９】
【補正対象書類名】図面
【補正対象項目名】図４９
【補正方法】変更
【補正の内容】
【図４９】
2014523297.tif 000005
【手続補正１０】
【補正対象書類名】図面
【補正対象項目名】図５２
【補正方法】変更
【補正の内容】
【図５２】
2014523297.tif 000006
【手続補正１１】
【補正対象書類名】図面
【補正対象項目名】図５３
【補正方法】変更
【補正の内容】
【図５３】
2014523297.tif 000007